(57)【要約】【課題】部外者の侵入を防止するパーキング運転中において、遅く帰宅したマンション住民等の便宜を図りつつ、安全性を保つことのできるエレベータの休止解除運転を実現する。【解決手段】出入口階に平常運転と運転休止を切替える施錠スイッチ４を備え、乗りかご５を出入口階に待機し施錠スイッチ４による運転休止中に、乗場呼びボタン２の暗号操作により運転休止を解除するエレベータにおいて、運転休止を解除する第１の前記暗号操作の結果として、出入口階乗場での行先階呼びの指示入力を許可し、指示された行先階へ直行運転でサービスし、サービス後に乗りかごを出入口階へ直行で帰着させ、運転休止に復帰させる。【選択図】図１
2011105492.tif 000002
【特許請求の範囲】
【請求項１】
乗場に乗場呼びボタンとその応答ランプ、乗かご内に行先階呼びボタンとその応答ランプ、出入口階に平常運転と運転休止を切替える施錠スイッチ、前記施錠スイッチによる運転休止時に乗場での暗号操作により運転休止を解除する手段を備えたエレベータの制御装置において、
前記出入口階の乗場における第１の前記暗号操作により、運転休止を解除する手段は、前記出入口階乗場での第２の暗号操作による行先階の指示を許可する行先階指示許可手段と、
前記出入口階乗場での前記第１，第２の暗号操作に応答して、前記出入口階でエレベータのドアを開閉するドア開閉手段と、
第２の前記暗号操作により、行先階が指示されたことを判定し、その行先階へエレベータを直行運転させる直行運転手段と、
を備えたことを特徴とするエレベータの制御装置。
【請求項２】
請求項１において、前記施錠スイッチによる運転休止時には、エレベータを前記出入口階に待機させる基準階待機手段を備えたことを特徴とするエレベータの制御装置。
【請求項３】
請求項１または２において、前記直行運転手段は、前記直行運転の後、前記出入口階へ自動帰着させて運転休止状態に復帰させる自動帰着手段を備えたことを特徴とするエレベータの制御装置。
【請求項４】
請求項１〜３のいずれかにおいて、前記乗場呼びボタンの前記第１の暗号操作を判定する手段は、定められた所定時間の間の連続押しを検知判定する判定手段を備えたことを特徴とするエレベータの制御装置。
【請求項５】
請求項１〜４のいずれかにおいて、前記乗場呼びボタンの前記第２の暗号操作を判定する手段は、定められた所定時間間隔内の押し回数により、行先階を検知判定する行先階判定手段を備えたことを特徴とするエレベータの制御装置。
【請求項６】
請求項１〜５のいずれかにおいて、前記出入口階の乗場における第１の前記暗号操作により、運転休止を解除する手段は、運転休止解除時に乗場呼びボタンの応答ランプを連続点灯させる休止解除案内手段を備えたことを特徴とするエレベータの制御装置。
【請求項７】
請求項１〜６のいずれかにおいて、前記出入口階の乗場における前記乗場呼びボタンの前記第２の暗号操作により前記行先階判定手段が行先階を判定したとき、該当するかご内行先階呼びボタンを連続点灯させる行先呼び応答手段を備えたことを特徴とするエレベータの制御装置。
【請求項８】
請求項１〜７のいずれかにおいて、前記行先階に向けて前記直行運転中に、該当するかご内行先階呼びボタンを遅い点滅で走行案内し、前記行先階に到着したとき早い点滅点灯で到着案内する案内手段を備えたことを特徴とするエレベータの制御装置。
【発明の詳細な説明】
【技術分野】
【０００１】
本発明は、エレベータの制御装置に係わり、平常運転と運転休止を切替える施錠スイッチによる運転休止時に、特定の利用者の暗号操作により運転させるエレベータの制御装置に関する。
【背景技術】
【０００２】
従来、外部からの部外者の侵入を防ぐためにエレベータの運転規制として、ビルのオーナや管理人の便宜を図るために、出入口階の乗場に平常運転と運転休止を切替える施錠スイッチを設けるようにしている。この施錠スイッチにより、運転休止が指令された後は、サービス中の運転が終了次第、予め定めた休止階（通常１階）に帰着し、運転休止状態に入る。これは、パーキング運転と呼び、そのマンションの住民等の特定の利用者だけが利用でき、部外者の進入を阻止して安全を確保することに意味がある。
【０００３】
しかし、マンションのオーナなどが施錠スイッチのキーを持ち歩いていたり、管理人不在などにより、当該マンションの居住者がキーを持たないため、施錠スイッチの平常運転への切替が不可能となり、エレベータを利用することが出来ないことがある。
【０００４】
又、管理人が在籍していても、多くのマンションの居住者が、遅い帰宅時などに、その都度、出入口階から管理人室までキーを借りに行かなければならず、不便でサービス性を損ねていた。
【０００５】
この種の先行技術として、特許文献１のように、乗場呼びボタンを所定時間押すことにより平常運転し、さらに、乗場呼びボタンをより長い所定時間押すことにより運転休止させるようにしたものがある。
【０００６】
また、特許文献２のように、乗りかご呼操作盤にタッチセンサーを設け、エレベータ乗りかごの運転状態と休止状態に交互に切替えるものがある。
【０００７】
さらに、特許文献３のように、乗場呼びボタンの暗号操作によりパーキングを解除し、所定時間内にかご内行先階呼びボタンを操作可能とし、サービス後に復帰させるものがある。
【先行技術文献】
【特許文献】
【０００８】
【特許文献１】特開昭６４−１７７８２号公報
【特許文献２】特開平３−１７２２８９号公報
【特許文献３】特開平６−１４４７１５号公報
【発明の概要】
【発明が解決しようとする課題】
【０００９】
パーキング運転時には、特許文献１，２の技術では、運転休止解除時に、途中階にて他の呼びが発生すると、これに応答して平常運転し易く、本来の運転規制効果が薄れ易い。
【００１０】
また、特許文献３においても、運転休止解除時に、出入口階からの同時乗り込みや、途中階停止による乗場からの同時乗り込みによって、かご内の行先ボタンが押されることによって、やはり、本来の運転規制効果が薄れやすかった。
【００１１】
さらに、特許文献１−３のいずれにおいても、運転休止解除時の案内の不十分さと、行先階呼びボタンの操作に不便性がある。
【００１２】
本発明の目的は、特定の利用者の便宜を図るとともに、一般の利用者に運転を察知されにくく、防犯性を満足させ易い、簡便で経済的なエレベータの制御装置を提供することである。
【課題を解決するための手段】
【００１３】
本発明の望ましい実施態様においては、乗場に乗場呼びボタンと応答ランプ、乗かご内に行先階呼びボタンと応答ランプ、出入口階（基準階）に平常運転と運転休止を切替える施錠スイッチ、施錠スイッチによる運転休止時に乗場呼びボタンの暗号操作により運転休止を解除する手段を備えたエレベータの制御装置において、出入口階の乗場における第１の暗号操作により、出入口階乗場での第２の暗号操作による行先階の指示を許可する行先階指示許可手段と、出入口階に乗りかごが居る状態で、第１の前記暗号操作に応答して、エレベータのドアを開閉するドア開閉手段と、第２の前記暗号操作により、行先階が指示されたことを判定し、その行先階へエレベータを直行運転させる直行運転手段とを備えたことを特徴とする。
【００１４】
また、本発明の望ましい実施態様においては、前記直行運転手段は、直行運転の後、出入口階へ自動帰着させて運転休止状態に復帰させることが望ましい。
【００１５】
さらに、本発明の望ましい実施態様においては、前記乗場呼びボタンの第１の暗号操作を判定する手段は、定められた所定時間の間の連続押しを検知判定する判定手段を備え、前記第２の暗号操作を判定する手段は、定められた所定時間間隔内の連続押し回数により、行先階を検知判定する行先階判定手段を備えたことを特徴とする。
【発明の効果】
【００１６】
本発明の望ましい実施態様によれば、特定の利用者の便宜を図るとともに、一般の利用者に運転を察知されにくく、防犯性を満足させ易い、簡便で経済的なエレベータの制御装置を提供することができる。
【００１７】
本発明のその他の目的と特徴は、以下に述べる実施形態の中で明らかにする。
【図面の簡単な説明】
【００１８】
【図１】本発明の一実施例によるエレベータの制御装置の構成図である。
【図２】本発明の一実施例によるエレベータの制御装置の処理フロー図である。
【図３】本発明の一実施例によるエレベータの制御装置の動作説明図である。
【発明を実施するための形態】
【００１９】
以下、本発明を図１から図３に示した一実施例について説明する。
【実施例１】
【００２０】
図１は、本発明の一実施例によるエレベータの制御装置の構成図を示す。
【００２１】
乗場操作盤としては、エレベータの出入口階（基準階）である１階の乗場に設置された乗場操作盤１１、ｋ階に設置された乗場操作盤１ｋ、および最上階であるｎ階に設置された乗場操作盤１ｎのみを図示している。出入口階である１階の乗場に設置された乗場操作盤１１には、乗場呼びボタン２とその応答ランプのほかに、かご位置表示ランプ（ＣＰＩ）３と平常運転と運転休止を切替える施錠スイッチ４が配置されている。
【００２２】
一方、乗かご５内に取り付けられた操作盤６に、行先階呼びボタン７とその応答ランプが配置されている。
【００２３】
エレベータの制御盤８には、前記乗場やかご内の端末との間で伝送路を通じて制御情報をやり取りし、全体の制御を司るマイクロコンピュータ９を備えている。
【００２４】
本発明の一実施例においては、前記施錠スイッチ４により、このエレベータをパーキング運転（運転休止状態）に切り替えることができるものとする。
【００２５】
ここで、運転休止状態において、マイクロコンピュータ９は、乗場呼びボタン２の定められた第１の暗号操作を検知判定し、運転休止を解除できる。この運転休止の解除とは、通常の運転状態に戻るのではなく、出入口階乗場の乗場呼びボタン２の更なる第２の暗号操作によって、行先階を登録できる状態とすることである。
【００２６】
図２は、本発明の一実施例によるエレベータの制御装置の処理フローであり、マイクロコンピュータ９内のＲＯＭに格納されたプログラムによる動作フローである。
【００２７】
図３は、本発明の一実施例によるエレベータの制御装置の動作説明図であり、以下、これらの図面を参照して、本発明の一実施例による処理手順を説明する。
【００２８】
まず、ビルの出入口階の乗場操作盤１１に配置された施錠スイッチ４が、図２のステップ２０１において、運転休止操作をされていなければ、ステップ２０２に進んで、平常運転状態にある。
【００２９】
ここで、施錠スイッチ４が、切り替えキーにより運転休止状態に切り替えられれば、図２のステップ２０１からステップ２０３に進んで、まず、かご位置表示ランプ３を消灯するとともに、乗場呼びボタン２とかご内の行先階呼びボタン７は無効となる。
【００３０】
この状態で、部外者が出入口階に侵入し、乗場呼びボタン２を通常と同様に押したとしても、通常の操作に対しては、乗場呼びボタン２は無効となっているので、反応は無く、応答ランプは消灯したままである。この状態を、図３（Ａ）に示している。
【００３１】
次に、遅く帰宅したマンションの住民が、予め定められた暗号操作に基づいて、図３（Ｂ）の１Ｆ乗場の「操作Ｐ０」に示すように、乗場呼びボタン２を所定時間以上、連続して押したとする。すると、ステップ２０４の判定がＹＥＳとなり、ステップ２０５において、乗場呼びボタン２の応答ランプが点灯する。この状態は、出入口階乗場で行先階を指示できる行先階指示許可状態であり、図３の「操作Ｐ１−Ｐ５」に示すように、早いインターバルで行先階床数分だけ乗場呼びボタン２を押すと、対応する行先階呼びが登録される。図示の例では、５回の連続押しにより、５階行先階呼びが登録された状態を示している。
【００３２】
したがって、ステップ２０７において、エレベータは運転休止を解除され、ドア５を開いてこの住人を乗せ、５階に向かって直行運転する。このとき、図３（Ｂ）に示すように、乗場呼びボタン２の応答ランプは消灯し、かご内の５階の行先階ボタン７の応答ランプが点灯する。そして、ステップ２０８で、エレベータの運転開始を検知すると、走行中にはステップ２０９で、行先階呼びボタン７の応答ランプを遅い点滅点灯で運転案内し、到着すると、ステップ２１０でこれを検知し、ステップ２１１で行先階呼びボタン７の応答ランプを早い点滅点灯で到着案内する。同時にドアを開いて利用者を降ろした後、出入口階に帰着し、ランプ類は消灯して、運転休止状態に戻る。
【００３３】
なお、以上の実施例においては、出入口階に設置の乗場操作盤１１に乗場呼びボタン２と平常運転と運転休止を切替える施錠スイッチ４を設置したもので説明したが、図示省略の定められた乗場階に設置した乗場呼びボタンでも同様に可能である。
【００３４】
また、図示省略の管理室に設置された平常運転と運転休止を切替える施錠スイッチでも併用して行うことも可能である。
【符号の説明】
【００３５】
１…乗場操作盤、２…乗場呼びボタン（応答ランプ内蔵）、３…かご位置表示ランプ（ＣＰＩ）、４…平常運転と運転休止を切替える施錠スイッチ、５…エレベータドア、６…かご内操作盤、７…行先階呼びボタン（応答ランプ内蔵）、８…制御盤、９…マイコンの中央処理演算処理装置。
【図１】
2011105492.tif 000003
【図２】
2011105492.tif 000004
【図３】
2011105492.tif 000005